(57)【特許請求の範囲】
【請求項１】
開閉可能な密封タブを有する製品収納袋と、製品収納袋を覆い、開閉可能な外蓋を有するスリーブ状の外装とからなる紙製包装容器において、外蓋内側にエンボスによって設けられた廃棄用包み紙の厚みに応じた凹部を有し、該凹部に廃棄用包み紙を収納したことを特徴とする紙製包装容器。
【請求項２】
外装の外蓋根元にヒンジ部を有したことを特徴とする請求項１に記載の紙製包装容器。
【請求項３】
製品収納袋の形状を保持するフレームを有することを特徴とする請求項１又は２に記載の紙製包装容器。
【請求項４】
外装の外蓋は、再封鎖可能な開閉機能を有することを特徴とする請求項１〜３のいずれかに記載の紙製包装容器。
【発明の詳細な説明】
【技術分野】
【０００１】
本発明は、主として、ガムなどを廃棄する時に紙で包んで廃棄する必要がある製品を収納する包装容器に関する。
【背景技術】
【０００２】
ガムなどを廃棄する時に紙などに包んで廃棄しないと、ガムの粘着性が災いして、ゴミ箱などの壁にガムが付着して、いつまでも貼り付いたままで、著しく不潔な状態が続いてしまう問題があった。道路などに廃棄された場合は、靴に付着して歩きにくくなったり、つまずいて転ぶなど、怪我の恐れがあると共に、噛んだガムを除去するのには多くの時間と人手が掛かる問題があった。
従来、このような問題に対し、単に予め包んでおいた包装紙で噛み終わったガムを包んで捨てるように、啓蒙活動をするのみであった。
しかしながら、ガムの表面に糖のコーティングをしたり、澱粉をまぶしたりして、個々のガム同士の粘着を防いだような製品が開発され、包装紙をなくすことが可能になった。
そこで、個々のガムを個包装するのではなく、まとめて包装する方が容易であり、価格も抑えることが出来る。
その為、製品であるガムの包装紙とは別に、廃棄用の包装紙を添付する方法が考えられた。
【０００３】
特許文献１では、折畳自在の箱状ケースの一側にマツチ軸を取出し自在に適宜数設けると共にケース上端に一側を延設して形成した蓋体をマツチ軸上に被る如く係止させることを特徴とする煙草ケースを提案している。
この煙草ケースの場合、外装の平坦な面に物品が配置し、平坦な蓋でその物品を被覆している為、物品の膨らみで蓋がたわんでしまったり、物品に蓋が押し付けられることで傷ついたりといった不具合が生じていた。
又、マッチを取り外す為、容器を開けた時、内容物の煙草を収納している箱の上面も開口してしまうので、内容物を落下する恐れもあった。
これが、ガムの容器においても、同じように、廃棄用包装紙を添付するのに、添付する外装の蓋において、廃棄用の包装紙によって蓋が変形したりする恐れがあった。
また、廃棄用包装紙を取り出す時に、箱の上面が開口する為、内容物が落下したり、ごみが入ってしまう恐れもあった。
【先行技術文献】
【特許文献】
【０００４】
【特許文献１】実開昭６１−２００３７８号公報
【発明の概要】
【発明が解決しようとする課題】
【０００５】
そこで、内容物のガムを廃棄するための包み紙を収納するのに、外装の蓋が変形しないで収納できるようにすると共に、廃棄用包装紙を取り出す時に内容物の密封性を確保できるような包装容器を提供することが、本発明の課題である。
【課題を解決するための手段】
【０００６】
本発明の請求項１に係る発明は、開閉可能な密封タブを有する製品収納袋と、製品収納袋を覆い、開閉可能な外蓋を有するスリーブ状の外装とからなる紙製包装容器において、外蓋内側にエンボスによって設けられた廃棄用包み紙の厚みに応じた凹部を有し、該凹部に廃棄用包み紙を収納したことを特徴とする紙製包装容器である。
【０００７】
本発明の請求項２に係る発明は、外装の蓋部根元にヒンジ部を有したことを特徴とする請求項１に記載の紙製包装容器である。
【０００８】
本発明の請求項３に係る発明は、製品収納袋の形状を保持するフレームを有することを特徴とする請求項１又は２に記載の紙製包装容器である。
【０００９】
本発明の請求項４に係る発明は、外装の蓋部は、再封鎖可能な開閉機能を有することを特徴とする請求項１〜３のいずれかに記載の紙製包装容器である。
【発明の効果】
【００１０】
本発明の包装容器は、外装の内側に凹状のエンボスによって廃棄用包み紙を収納する収納部を設けるので、廃棄用包み紙の収納によって外蓋が変形したりしない。
又、製品を収納する製品収納袋とは別に収納する廃棄用包み紙を収納する収納部が確保されるので、密封タブによって内容物を収納する製品収納袋を閉じた状態で、廃棄用包み紙を取り出すことが可能である。その為、廃棄用包み紙を取り出す時に、内容物が包装容器からこぼれ落ちてしまったり、異物が製品収納袋に入るなどの問題が発生しない。
さらに、製品収納袋にフレームが付属され、形状を維持しているので、密封タブで開け閉めする時に皺が入って完全に密封できないような不具合も無く、スムースに製品収納袋を開閉可能である。
その上、外装にも再封鎖可能な開閉機能を設けたので、密封タブによる密封性が、外力からの影響も少なく、不用意に製品収納袋が開かない。
また、蓋部がヒンジで外装本体と繋がっているので、蓋部を紛失することも無く、包装容器の保護性能は高い。
【図面の簡単な説明】
【００１１】
【図１】本発明の包装容器の一例で、外装を閉じている状態と、外装を開封した状態を示す斜視図である。
【図２】本発明の包装容器の一例で、密封タブを開けて内容物を取り出している状態と、廃棄用包み紙を取り出している状態を示す斜視図である。
【図３】本発明の包装容器の一例において、外装が閉じている状態の縦断面図と、外装を開けた状態の縦断面図である。
【図４】本発明の包装容器に使用される外装の一例を示す展開図である。
【図５】本発明の包装容器に使用される外装の一例で、外装が閉じた状態を示す斜視図と、開けた状態を示す断面図である。
【図６】本発明の包装容器において、製品収納袋と、製品収納袋に密封タブを開口部に貼った状態の正面側から見た斜視図である。
【図７】本発明の包装容器において、製品収納袋に密封タブを開口部に貼った状態の裏面側から見た状態と、密封タブを上げて開口した状態の斜視図である。
【図８】本発明の包装容器に使用されるフレームの一例で、その展開図と、組み立てた状態の斜視図である。
【図９】本発明の包装容器に使用されるフレームの第２の例で、その展開図と、組み立てた状態の斜視図である。
【発明を実施するための形態】
【００１２】
以下、本発明の包装容器の実施形態例について、図を用いて詳細に説明する。
図１は本発明の包装容器の一例で、図１−１は外装１を閉じている状態の斜視図である。外装１は、開閉可能な蓋部を有するスリーブ状になっており、正面板１２、底面板１３、
背面板１４、蓋部１１の順に繋がって、ほぼ筒状をしている。
蓋部１１には蓋正面板１１１、蓋上面板１１２、蓋背面板１１３が順に繋がり、蓋背面板１１３は、背面板１４にヒンジ１１００で繋がっている。
又、蓋正面板１１１中央にはエンボスで内側に凹状に成形された収納部３が形成され、内側に剥離可能な粘着部を有する廃棄用包み紙が収納できるようになっている。
さらに、蓋正面板１１１の先端が正面板１２と製品収納袋２との隙間に挿入され、蓋部１１が不用意に開封してしまわないように設計されている。
【００１３】
図１−２は、外装１を開封した状態を示す斜視図である。
挟み込まれていた蓋正面板１１１の先端を、正面板１２と製品収納袋２の間から抜き出すと、ヒンジ部１１００を中心に蓋部１１が回動し、蓋部１１で覆っていた上部全体が開いて、製品収納袋２の取出し口２１を覆う密封タブ２２が現われる。
また、蓋正面板１１１内側にエンボスによる収納部３が現われ、収納部に廃棄用包み紙３０が確認できる。
【００１４】
図２−１は、蓋部１１を開け、製品収納袋２の密封タブ２２を剥離して、取出し口２１が開口し、内容物５を取り出している状態を示す斜視図である。
密封タブ２２には、先端に粘着層を持たないタブ摘み部２２１を設け、タブ摘み部２２１と取出し口２１に対応する面以外の部分には開閉自在なタックを有する粘着塗布部２２２が設けられ、開封、再密封可能な密封タブ２２になっている。
この為、密封タブ２２の粘着塗布部２２２に用いられる粘着剤は再接着が可能な粘着樹脂層を有するシートからなるばかりではなく、製品収納袋２の表面にもポリエチレンなどの樹脂層を設けて、粘着層によって剥離したりして破壊されない表面にしている。
密封タブ２２の取出し口２１対応部分は、取出し口設定の全周周囲に予めミシン目を付けておき、密封タブ２２の粘着剤で取出し口部分の製品収納袋素材を接着し、密封タブ２２を製品収納袋から剥離する時に切断して取出し口を開口させる方法でも良い。
切り取られた取出し口２１部分の製品収納袋素材が、密封タブ２２の取出し口２１対応部分に接着するので、内容物が密封タブの粘着塗布部２２２に接して付着してしまうことが無い。この方法では、予め密封タブ２２の粘着塗布部の取出し口２１対応部分を非粘着塗布部にする方法に比べ、密封タブ２２の貼り位置規制など、細やかな調整が要らなくなるなどのメリットがある。
【００１５】
図２−２は、蓋部１１を開け、収納部３を露出して、収納部から廃棄用包み紙３０を取り出す様子を示した斜視図である。
製品収納袋２の取出し口２１は密封タブ２２が粘着力で閉鎖し、製品がこぼれ出ないように保護されている。
蓋部１１は、ヒンジ部１１００の外に、蓋正面板１１１と蓋上面板１１２との間の折り罫１１４、蓋上面板１１２と蓋背面板１１３との間の折り罫１１４においても回動可能で、それぞれの折り罫を中心に回動し、収納部３を広く露出させることが出来るので、廃棄用包み紙３０が取り出し易い。
【００１６】
図３−１は、本発明の包装容器の縦断面図である。
製品収納袋２の内部にフレーム４を入れることによって、形状を六面体に保持し易くなっている。そして、製品収納袋２の中に、製品５が収納されている。
製品収納袋２の上部は取出し口２１があって開口され、その取出し口を開封、再密封可能な密封タブ２２で覆っている。
製品収納部２の外側には外装１が覆っている。外装１の正面板１２下側は正面粘着剤１２１で製品収納袋２と接着され、かつ、上側は粘着剤が無く、蓋正面板挿入隙間１２２が形成されている。また、外装１の背面板１４も背面粘着剤１４１によって製品収納袋２と接着されている。
従って、外装１は、正面板１２の下側、底面板１３、背面板１４が製品収納袋２に沿って少なくとも２箇所で接着し、製品収納袋２の内部のフレームもあるので、製品収納袋２は六面体形状を維持し易くなっている。
製品収納袋２の背面側には、下側を外装１の背面板１４が、上側を蓋背面板１１３が沿っており、それらはヒンジ１１００で繋がっている。また、蓋部１１は蓋背面板１１３、蓋上面板１１２、蓋正面板１１１がそれぞれ折り罫で回動可能に繋がっている。
そして、蓋正面板１１１の先端は蓋正面板挿入隙間１２２に挿入され、不用意に蓋部が開いてしまうことを防いでいる。
【００１７】
図３−２は、蓋部１１をヒンジ１１００中心に回動し、開けた状態を示した。
蓋部１１の蓋上面板１１２や蓋正面板１１１を変形させながら、蓋正面板１１１の先端を蓋正面板挿入隙間１２２から抜き、ヒンジ１１００を中心に蓋部１１全体を回動して開いた。同時に、蓋正面板１１１と蓋上面板１１２との間の折り罫１１４、蓋上面板１１２と蓋背面板１１３との間の折り罫１１４においても回動し、収納部３が広く露出して、廃棄用包み紙３０が取り出し易くなっている。
【００１８】
図４は、外装１の展開図である。外装１はスリーブ状になっていて、下側より順に、正面板１２、底面板１３、背面板１４、蓋部１１が、折り罫を介して繋がっている。
さらに、蓋部１１は、順に蓋背面板１１３、蓋上面板１１２、蓋正面板１１１と折り罫を介して繋がっている。特に背面板１４と蓋背面板１１３とをつなぐ折り罫はヒンジ１１００として、大きく回動可能になっている。
また、正面板１２の内側には製品収納袋２と接着させる正面粘着剤１２１が折り罫近傍に塗工あるいは貼り付けられている。さらに、背面板１４にも背面粘着剤１４１が塗工あるいは貼り付けられている。これらの粘着剤としては、両面粘着テープなどを使用すると生産性が良い。
蓋正面板１１１中央にはエンボス加工によって、収納部３が形成されている。収納部３は外側に凸状になっていて、内側に廃棄用包み紙を収納する凹部が形成されている。そして、蓋正面板１１１の先端は、蓋正面板挿入隙間に挿入し易くなる様に、隅が円弧状に面取りされている。もちろん、この隅はＣ面など他の面取りであってもかまわない。
正面板の先端にも、蓋正面板１１１に挿入され易いように、隅が円弧状に面取りされている。
【００１９】
図５−１は、本発明の外装１だけを組み立てた状態を示す斜視図である。
蓋正面板１１１先端が正面板１２先端と接し、全体が四角の筒状に形成される。
図５−２は、蓋正面板１１１先端が正面板１２先端から外れ、蓋部１１全体がヒンジ１１００を中心に回動した状態を示した。
【００２０】
図６−１は製品収納袋２の外観を示す斜視図である。
取出口２１は６面体である製品収納袋２の一面だけに設け、他の面まで延長して設けることはしない。なぜなら、密封タブ２２が安定して再度密封可能にするため、粘着塗布部が貼られる取出口２１周囲を平面にしておくことが望ましいからである。
特にシール部分は厚みが大きく変化し、面が平らに保てず、密封シールしにくいので、取出口２１を設ける面には、背シール２３や左サイドシール２４や右サイドシール２５などのシール部分が来ない様に設計することが好ましい。
さらに、図６−１のように、取出口２１は製品収納袋２の一平面で、周囲に貼り代が残っているように、貼り付け面の端部から離して設けることが好ましい。
図６−２のように、密封タブ２２が粘着して密封される。密封タブ２２の貼り付け方向はこの図の方向に限ることはない。図６−３のように、剥離方向を横向きにしても良い。
【００２１】
図７−１は図６−２の反対方向から見た斜視図である。製品収納袋２の背シール２３位置は、出来れば下側の端に寄せることが好ましく、底面側に設けても良い。製品収納袋２における左サイドシール２４と右サイドシール２５部分は、通常の袋における天シール、地シールを左右方向になるように９０度回転させた形状であるが、必ずしもこのようなシールでなくてもかまわない。出来るだけ６面体に形状を維持出来易いシールが好ましい。図７−２は、密封タブ２２を開封した状態で、この図のように、粘着塗布部２２２は、取出口２１対応部分とタブ摘み部２２１から外すことが好ましい。
【００２２】
製品収納袋２の構成フィルムは、内容物に対して必要な保存性によるが、外側から
ポリエチレン／ポリエチレンテレフタレート／アルミニウム箔／ポリエチレン／ポリアミド／ポリエチレン、
ポリプロピレン／アルミニウム箔／ポリエチレン／ポリアミド／ポリエチレン、
ポリエチレンテレフタレート／アルミニウム箔／ポリエチレン、
ポリプロピレン／アルミニウム箔／ポリエチレン／紙／ポリエチレン、
などが考えられる。
アルミニウム箔は香りを逃がさない役目を担い、厚みは５〜１５マイクロメーターにする。酸化珪素蒸着のポリエチレンフィルムなどで代用しても良い。また、ポリエチレンテレフタレートフィルムの厚みは６〜２５マイクロメーターなどが使用できる。
これらのフィルムは、通常のドライラミネーション機、エクストルーダーラミネート機などで製造できる。
【実施例】
【００２３】
図８は、フレーム４の第１の実施例で、図８−１はその展開図、図８−２は組立図である。
フレーム４は、少なくとも上部が開口した直方体状の箱型になったもので、廃棄用包み紙が配置される近傍の正面板側の面に窓４５を設け、嵩張ってしまう廃棄用包み紙による膨らみを逃がす役目を持たせても良い。
フレーム４は製品収納袋２の内部に配置する。特に、製品収納袋の内寸とフレームの大きさに大きな差がない場合、製品収納袋２とフレーム４をしっかり接着固定しなくても、形状を保ち易く、その役目を発揮し易い。
もし、フレーム４を製品収納袋２の外側に設けた場合には、製品収納袋２とフレーム４をしっかり接着固定しなければならない。
このフレーム４は、フレーム底面４６はあるが、取出し側には面がなく、開口部は単に上下に回動可能なフラップが両端にあるのみである。
【００２４】
図９は、フレーム４の第２の実施例で、図９−１はその展開図、図９−２は組立図である。
図８のフレーム４に比べ、内容物を取り出す取出し面４７があって、開口部４７１を有し、取出し面４７は周囲のフレーム正面板４１やフレーム背面板４２と繋がっており、開口部周囲の面強度が高い設計になっている。開口部４７１周囲の面強度が高いと、密封タブ２を貼り付け、開封する時も皺が寄り難く、確実に密封し易くなる。
【００２５】
廃棄用包み紙３０は、多少引っ張られても破れにくく、かつ、ガムの粘着成分で容易に接着するものが好ましい。しかも、ガムに噛んだ時の唾液が含まれることから、水分によって強度が劣化しにくい紙が好ましい。
さらに、狭い収納部３に出来るだけ容積を得ないで収納することが好ましいので、着脱可能な粘着剤を部分的に塗工されたものが好ましい。
【００２６】
本発明の外装１やフレーム４を形作る基材の紙は、収納する内容物の重量によって厚みを調整し、容量が大きいほど厚くする。通常、紙の厚みである坪量は、１２０ｇ／ｍ２から４００ｇ／ｍ２の範囲で使用可能である。また、紙の密度を０．６〜１．１ｇ／ｃｍ３の範囲にする。
また、積層シートにして、基材の紙に対し、内面や外面、又は両面に熱可塑性樹脂を用い耐水性を向上させても良く、材質は特に限定されない。
【００２７】
本発明は以上のようなもので、外装１に収納する廃棄用包み紙の厚みに応じた凹部を形成させるエンボスを設けるので、廃棄用包み紙によって外装１が変形したりしない。
また、密封タブ２２によって内容物を収納する製品収納袋２を閉じた状態で、廃棄用包み紙３３を取り出すことができる。その為、廃棄用包み紙３３を取り出す時に、内容物５が包装容器からこぼれ落ちてしまうなどの問題が発生しない。特に、蓋の回動に関係する折り罫が３箇所もあるので、蓋正面板を大きく広げることができ、廃棄用包み紙を取り出し易い。
さらに、製品収納袋２にフレーム４が付属され、形状を維持しているので、密封タブ２２で開け閉めする時に皺が入って完全に密封できないような不具合も無く、スムースに製品収納袋２を開閉可能である。
その上、外装１を閉じる時に蓋正面板先端を蓋正面板挿入隙間に差し込んで固定できるので、外装が不用意に開封してしまう問題も解決できる。
しかも、蓋部１１がヒンジ１１００で外箱本体と繋がっているので、蓋部１１を紛失することも無く、内部を汚すことも無いなど、包装容器の使い勝手が高く、かつ、生産性も良いなど、本発明の包装容器のメリットは大きい。
【符号の説明】
【００２８】
１・・・・・・・・・外装
１１・・・・・・・・蓋部
１１０・・・・・・・上面板
１１００・・・・・・ヒンジ部
１１１・・・・・・・蓋部正面板
１１２・・・・・・・蓋上面板
１１３・・・・・・・蓋背面板
１１４・・・・・・・折り罫
１２・・・・・・・・正面板
１２１・・・・・・・正面粘着剤
１２２・・・・・・・蓋正面板挿入隙間
１３・・・・・・・・底面板
１４・・・・・・・・背面板
１４１・・・・・・・背面粘着剤
２・・・・・・・・・製品収納袋
２１・・・・・・・・取出口
２２・・・・・・・・密封タブ
２２１・・・・・・・タブ摘み部
２２２・・・・・・・粘着塗布部
２３・・・・・・・・背シール
２４・・・・・・・・左サイドシール
２５・・・・・・・・右サイドシール
３・・・・・・・・・収納部
３０・・・・・・・・廃棄用包み紙
４・・・・・・・・・フレーム
４１・・・・・・・・フレーム正面板
４２・・・・・・・・フレーム背面板
４３・・・・・・・・フレーム左側面板
４４・・・・・・・・フレーム右側面板
４５・・・・・・・・フレーム窓
４６・・・・・・・・フレーム底板
４７・・・・・・・・取出し面
４７１・・・・・・・開口部
５・・・・・・・・・製品
【図１】
0006387723.tif 000002
【図２】
0006387723.tif 000003
【図３】
0006387723.tif 000004
【図４】
0006387723.tif 000005
【図５】
0006387723.tif 000006
【図６】
0006387723.tif 000007
【図７】
0006387723.tif 000008
【図８】
0006387723.tif 000009
【図９】
0006387723.tif 000010